(57)【要約】【課題】  一台で椅子と簡易便器の二つの機能を備えるとともに、椅子に座ったままで座面の高さを自由に変えることができるリフト機能を備えた座席部交換式介護用椅子の提供。【解決手段】  水平脚と、該水平脚の後端両サイドに固着された一対の固定ガイド脚柱および該固定ガイド脚柱にスライド可能に内嵌されて昇降駆動装置にて上下動可能に支持された可動脚柱とからなる脚体の前記可動脚柱に座席部固定部材が水平に取付けられ、該座席部固定部材には椅子の背もたれ部が固着され、かつ椅子の座席部と座席型便器部が該座席部固定部材に着脱可能となして座席部と座席型便器が取換え使用可能となし、前記座席部の両サイドにはね上げ式肘掛けを備え、前記座席部と座席型便器がそれぞれ前記昇降駆動装置にて高さ調整可能に設けられた構成となしている。【選択図】    図１
2005118110.tif 000002
【特許請求の範囲】
【請求項１】
キャスターおよび移動防止部材付き水平脚と、該水平脚の後端両サイドに固着された一対の固定ガイド脚柱および該固定ガイド脚柱にスライド可能に内嵌されてモーター駆動式シリンダーまたは流体圧シリンダー等の昇降駆動装置にて上下動可能に支持された可動脚柱とからなる脚体の前記可動脚柱に座席部固定部材が水平に取付けられ、該座席部固定部材には椅子の背もたれ部が固着され、かつ椅子の座席部が該座席部固定部材に凹凸嵌合方式等によるスライド機構にて着脱可能に設けられ、さらに前記座席部の両サイドに、一端が前記背もたれ部に上下方向に回動可能に枢着され、他端が該座席部分の側面に着脱可能に接続されるリンクを介して水平に支持される一対のはね上げ式肘掛けを備え、前板部材および左右板部材とからなる座席部枠体に開閉式便座を有し、前記座席部と同様に凹凸嵌合方式等によるスライド機構にて着脱可能となし、かつはね上げ式肘掛けのリンクを着脱可能となす着脱式座席型便器を前記着脱式の座席部と取換え使用可能となし、前記着脱式座席部または着脱式座席型便器が前記昇降駆動装置にて高さ調整可能に設けられたリフト機能付きの座席部交換式介護用椅子。
【請求項２】
前記昇降駆動装置を手動操作式となして、前記着脱式座席部または着脱式座席型便器の高さを手動で調整可能となしたことを特徴とする請求項１記載の座席部交換式介護用椅子。
【発明の詳細な説明】
【技術分野】
【０００１】
本発明は、特に高齢者や足腰の弱い人、身体の不自由な人に好適な介護用椅子に係り、より詳しくは背丈に応じて座面の高さを座ったままで容易に調整することができる上、椅子型の簡易便器としても使用することができる座席部交換式介護用椅子に関する。
【背景技術】
【０００２】
各種施設や病院、一般家庭において使用されるソファ型の椅子やこれに類似した椅子は、事務用椅子と異なり座面が固定式で高さを変えることができない構造となっているため、背丈によっては座り心地の悪い場合がある。また、最近は、高齢者や足腰の弱い人、身体の不自由な人のために椅子型の簡易便器が開発されている。この種の簡易便器としては、便器本体の座席部に取着された開閉式の便座の下にバケツ形便器が取付けられ、かつ便座の上側に開閉式の座りパットが設けられ、便座の両サイドに肘掛けが取付けられたもので、便器使用時には座りパットを起して背もたれに相重ねて用を足し、一方、椅子として使用する場合は、座りパットを倒して便座の上に相重ねてその上に座るようになっている。また、椅子型の簡易便器としては、腕力の劣った高齢者や手の不自由な障害者でも容易にかつ快適に使用でき、その上便座の横からも出入りできるようにするため、例えば高さ調整可能なパイプ脚体にて支持された座席部に開閉式便座を有し、該便座の下方には着脱式の便器を有し、便座の両サイド部には肘掛けを兼ねる長さ可変式の取手を備え、便座の上に座りパットを有した構造の椅子型簡易便器（特許文献１参照）や、脚体に高さ調整可能に支持された座席部枠体に開閉式便座を有し、かつ座席部枠体には背もたれが一体に設けられ、便座には着脱式の便器を有し、さらに便座の両サイド部には肘掛けを兼ねる一対の着脱式把手を備え、便座の上に載置する開閉式座りパットを有した構造の椅子型簡易便器（特許文献２参照）等が知られている。
【０００３】
【特許文献１】特許第３１９９３６７号
【特許文献２】特許第３１９９３６８号
【発明の開示】
【発明が解決しようとする課題】
【０００４】
上記したように、事務用椅子と異なり座面が固定式で高さを変えることができない構造のソファ型の椅子やこれに類似した椅子の場合は、背丈によって座面の高さを変えることができないため、座る人によっては座り心地の悪い場合があり、一方、椅子型簡易便器は座面の高さを調整可能な機能を備えているも、従来のものは座る前に座面の高さを設定して使用する構造となっているため、座った状態で座面の高さを調整することができない。そのため、座面の高さを変える場合は、必ず椅子から降りた状態で高さ設定を行なわなければならず、高齢者や足腰の弱い人、身体の不自由な人にとっては辛く、又苦痛を伴うなど、好ましくなかった。
本発明は、上記実状に鑑みなされたもので、一台で椅子と簡易便器の二つの機能を備えるとともに、椅子に座ったままで座面の高さを自由に変えることができるリフト機能を備えた座席部分交換式介護用椅子を提供しようとするものである。
【課題を解決するための手段】
【０００５】
本発明に係るリフト機能付きの座席部交換式介護用椅子は、キャスターおよび移動防止部材付き水平脚と、該水平脚の後端両サイドに固着された一対の固定ガイド脚柱および該固定ガイド脚柱にスライド可能に内嵌されてモーター駆動式シリンダーまたは流体圧シリンダー等の昇降駆動装置にて上下動可能に支持された可動脚柱とからなる脚体の前記可動脚柱に座席部固定部材が水平に取付けられ、該座席部固定部材には椅子の背もたれ部が固着され、かつ椅子の座席部が該座席部固定部材に凹凸嵌合方式等によるスライド機構にて着脱可能に設けられ、さらに前記座席部の両サイドに、一端が前記背もたれ部に上下方向に回動可能に枢着され、他端が該座席部分の側面に着脱可能に接続されるリンクを介して水平に支持される一対のはね上げ式肘掛けを備え、前板部材および左右板部材とからなる座席部枠体に開閉式便座を有し、前記座席部と同様に凹凸嵌合方式等によるスライド機構にて着脱可能となし、かつはね上げ式肘掛けのリンクを着脱可能となす着脱式座席型便器を前記着脱式の座席部と取換え使用可能となし、前記着脱式座席部または着脱式座席型便器が前記昇降駆動装置にて高さ調整可能に設けられた構成となしたものである。
また、このリフト機能付きの座席部交換式介護用椅子は、前記昇降駆動装置を手動操作式となして、前記着脱式座席部または着脱式座席型便器の高さを手動で調整可能となしたものである。
【発明の効果】
【０００６】
本発明の座席部交換式介護用椅子は、通常の椅子の座席部分と座席型便器部分とを交換して使用することができるので非常に便利であり、また、椅子に座ったままで座面の高さを自由に変えることができるリフト機能を備えているので、座面の高さを変えるのにその都度椅子から降りる必要がなく、高齢者や足腰の弱い人、身体の不自由な人でも楽にかつ安全に使用することができ、また、椅子の座席部と便器部をそれぞれ丸ごと清掃することができるので常に清潔に使用できる。さらに、本発明の座席部交換式介護用椅子は、脚柱のスライド機構として、固定ガイド脚柱に可動脚柱をスライド可能に内嵌する方式を採用したことにより固定ガイド脚柱に可動脚柱を外嵌する方式に比べ、椅子の小型化と重量軽減をはかることができる。そのほか、本発明は、水平脚にキャスターおよび移動防止部材を設けたことにより、使用時には移動防止部材により不用意に動くことがなく、安全かつ快適に使用することができ、また、椅子を移動させる時はスライド式脚柱を両手で把持し水平脚の前端側を上に上げて傾斜させて移動防止部材を浮かせることにより、水平脚後部のキャスターを使用して容易に移動させることができ、さらに肘掛けをはね上げ式としたことにより、座面の横からも簡単に出入りできる等の利点を有する。
【発明を実施するための最良の形態】
【０００７】
図１は本発明に係る座席部交換式介護用椅子の座席部分を取り外した状態を示す斜視図、図２は同上介護用椅子の着脱式座席部を示す斜視図、図３は同上椅子の着脱式座席型便器を示す斜視図、図４は図２に示す着脱式座席部を取付けた介護用椅子を示す側面図、図５は図３に示す着脱式座席型便器を取付けた介護用椅子を示す斜視図であり、１は水平脚、２は固定ガイド脚柱、３は可動脚柱、４は連結杆、５は機台、６は昇降駆動装置、７は可動脚柱支持ロッド、８は座席部固定部材、９は背もたれ、１０ははね上げ式肘掛け、１１は着脱式座席部、１２は着脱式座席型便器、１３はキャスター、１４は移動防止部材をそれぞれ示す。
【０００８】
本発明に係る座席部交換式介護用椅子における水平脚１は、相平行する左右一対の角パイプ製部材１−１と該部材の後端部間に横設した横杆１−２とで構成され、接地面側にはキャスター１３と、ゴム等の弾性部材や樹脂材等からなる移動防止部材１４がそれぞれ対をなして４隅に取付けられている。なお、一対のキャスター１３と移動防止部材１４は、当該椅子が使用中に不用意に移動しないように停止させておく必要があるため、キャスター１３は移動防止部材１４より僅かに浮かせて取付けられている。
【０００９】
固定ガイド脚柱２は、相平行する左右一対の角パイプ製部材２−１の相対向面にガイド溝２−２が設けられ、前記水平脚１の後端部にほぼ垂直に溶接されている。この左右一対の角パイプ製部材２−１からなる固定ガイド脚柱２には、可動脚柱３がスライド可能に内嵌され、該可動脚柱３の上端部には連結杆４が横設されている。そして、この固定ガイド脚柱２の左右角パイプ製部材２−１の下端溝間に横設した機台５上に設置した昇降駆動装置６に接続されて上下動する可動脚柱支持ロッド７の上端部と前記連結杆４とが接続用ブラケット７−１を介して接続され、昇降駆動装置６の駆動により可動脚柱３が昇降する仕組みとなっている。なお、昇降駆動装置６には市販のモーター駆動式シリンダーまたは流体圧シリンダーを採用することができる。
【００１０】
座席部固定部材８は、相対向面に着脱式座席部１１および着脱式座席型便器１２の着脱用凹溝８−２が設けられた相平行する左右一対の角パイプ製部材８−１からなり、かつ前記固定ガイド脚柱２にスライド可能に内嵌させた前記可動脚柱３に連結板８−３および、固定ガイド脚柱２の溝２−２内にスライド可能に嵌合させた締結ねじ８−４を介して接続され、また座席部固定部材８の左右一対の角パイプ製部材８−１の上面付根部に背もたれ９の下端部が固着され、さらに該背もたれ９の上部を接続板９−１を介して可動脚柱３に接続し、座席部固定部材８と背もたれ９が前記可動脚柱３と一体に上下動する仕組みとなしている。なお、８−４は左右の連結板８−３間に横設した連結バーである。
【００１１】
はね上げ式肘掛け１０は、その後端部を前記背もたれ９に軸ピン１０−１にて回動可能に枢着され、かつ前端部に設けたブラケット１０−３に上端を軸ピン１０−４にて回動可能に枢着され、下端に着脱式レバー１０−５を備えたリンク１０−２を有し、図２、図３にそれぞれ示す着脱式座席部１１、着脱式座席型便器１２の側面に突設した接続用ピン１１−４、１２−４に着脱可能に接続される仕組みとなっている。すなわち、着脱式レバー１０−５は下端部が円弧状に形成され、その上端部がバネ（図示せず）にて常に外方へ押圧されてリンク１０−２に取着されており、リンクを接続用ピン１１−４、１２−４に接続する場合は、前記着脱式レバー１０−５をバネに抗して内方へ押して円弧状下端部を開いた状態で、リンク端部を接続用ピン１１−４、１２−４の上に当接させ、この状態で着脱式レバー１０−５を開放して円弧状下端部を接続用ピン１１−４、１２−４に嵌合させる。リンク１０−２を外す場合は、着脱式レバー１０−５をバネに抗して内方へ押して円弧状下端部を開いて接続用ピン１１−４、１２−４から離脱させる。
【００１２】
図２に示す着脱式座席部１１は、左右一対の側板１１−１と両側板間に横設した接続板１１−２とからなる枠体と、該枠体に載置されるクッションシート（座りパット）１１−３とから構成され、前記左右の側板１１−１の各側面に前記座席部固定部材８の着脱用凹溝８−２に嵌合する凸状ガイドレール１１−４が取付けられ、さらに左右の側板１１−１の前端側に前記はね上げ式肘掛け１０のリンク１０−２の着脱用接続用ピン１１−４が設けられている。
【００１３】
図３に示す着脱式座席型便器１２は、前板１２−１と左右両側板１２−２とからなる座部枠体と、この座部枠体の上面に着脱可能に載置された開閉式便座１２−３および、該開閉式便座の上に載置する開閉式座りパット１２−４とから構成され、開閉式座りパット１２−４は中央から二つ折りできるように蝶番（図示せず）にて回動自在に接続され、その後端部が左右両側板１２−２に軸ピン１２−５にて回動可能に取付けられている。そして、この着脱式座席型便器１２の場合も、左右の側板１２−１の各側面に前記座席部固定部材８の着脱用凹溝８−２に嵌合する凸状ガイドレール１２−６が取付けられ、さらに左右の側板１２−１の前端側に前記はね上げ式肘掛け１０のリンク１０−２の着脱用接続用ピン１２−７が設けられている。
【００１４】
上記構成の椅子において、当該椅子を通常の椅子として使用する場合は、図４に示すごとく、図１に示す椅子本体に図２に示す着脱式座席部１１を取付ける。その取付けに際しては、はね上げ式肘掛け１０を上方にはね上げた状態で、図２に示す着脱式座席部１１の左右の側板１１−１の各側面に取付けた凸状ガイドレール１１−４を図１に示す椅子本体の座席部固定部材８の着脱用凹溝８−２に嵌合させて当該着脱式座席部１１を所定の位置までスライドさせてセットする。着脱式座席部１１をセットすると、はね上げ式肘掛け１０を手前に倒してリンク１０−２の端部を着脱式レバー１０−４を介して側板１１−１に突設した接続用ピン１１−４に嵌合させる。また、この介護用椅子に乗った状態で座面の高さを変える場合は、手動操作器（図面省略）にて昇降駆動装置６を操作して可動脚柱３を上下動させる。
【００１５】
次に、前記構成の椅子を簡易便器として使用する場合は、はね上げ式肘掛け１０を上方にはね上げた状態で、前記着脱式座席部１１を手間にスライドさせて座席部固定部材８から取外した後、図５に示すごとく、図１に示す椅子本体に図３に示す着脱式座席型便器１２を前記と同様の手順で取付ける。すなわち、はね上げ式肘掛け１０を上方にはね上げた状態で、図３に示す着脱式座席型便器１２の左右の側板１２−２の各側面に取付けた凸状ガイドレール１２−６を図１に示す椅子本体の座席部固定部材８の着脱用凹溝８−２に嵌合させて当該着脱式座席型便器１２を所定の位置までスライドさせてセットする。着脱式座席型便器１２のセット後は、前記と同様に、はね上げ式肘掛け１０を手前に倒して側板１１−１に突設した接続用ピン１１−４に嵌合させる。また、この簡易便器として使用する場合も、前記と同様に当該椅子に乗った状態で座面の高さを変えることができる。
【００１６】
一方、上記座席部交換式介護用椅子を移動させる場合は、図４に鎖線で示すごとく、当該椅子を背面から両手で把持し水平脚１の前端側を上に上げて傾斜させて移動防止部材１４を接地面から若干浮かせることにより、水平脚後部のキャスター１３を使用して容易に移動させることができる。
【産業上の利用可能性】
【００１７】
本発明のリフト機能付きの座席部交換式介護用椅子は、医療用器具としても利用可能である。
【図面の簡単な説明】
【００１８】
【図１】本発明に係る座席部交換式介護用椅子の座席部分を取り外した状態を示す斜視図である。
【図２】同上介護用椅子の着脱式座席部を示す斜視図である。
【図３】同上椅子の着脱式座席型便器を示す斜視図である。
【図４】図２に示す着脱式座席部を取付けた介護用椅子を示す側面図である。
【図５】図３に示す着脱式座席型便器を取付けた介護用椅子を示す斜視図である。
【符号の説明】
【００１９】
１  水平脚
２  固定ガイド脚柱
３  可動脚柱
４  連結杆
５  機台
６  昇降駆動装置
７  可動脚柱支持ロッド
８  座席部固定部材
９  背もたれ
１０  はね上げ式肘掛け
１１  着脱式座席部
１２  着脱式座席型便器
１３  キャスター
１４  移動防止部材
【図１】
2005118110.tif 000003
【図２】
2005118110.tif 000004
【図３】
2005118110.tif 000005
【図４】
2005118110.tif 000006
【図５】
2005118110.tif 000007
【手続補正書】
【提出日】平成15年11月28日(2003.11.28)
【手続補正１】
【補正対象書類名】図面
【補正対象項目名】全図
【補正方法】変更
【補正の内容】
【図１】
2005118110.tif 000008
【図２】
2005118110.tif 000009
【図３】
2005118110.tif 000010
【図４】
2005118110.tif 000011
【図５】
2005118110.tif 000012